(57)【要約】【課題】意図しない携帯情報端末の誤登録が発生しにくい電気錠システム、電気錠装置、及び電気錠用プログラムを提供する。【解決手段】電気錠装置２の記憶部２４は、電気錠２２の操作を許可する１以上の携帯電話端末３の鍵情報を認証情報として記憶する。認証部２１１は、錠側通信部２３が携帯電話端末３から受信した鍵情報を記憶部２４に記憶された認証情報と照合することによって携帯電話端末３の認証を行う。錠側制御部２１２は、認証部２１１による携帯電話端末３の認証が成立すると電気錠２２を施錠又は解錠させる。操作を許可する携帯電話端末３の鍵情報を電気錠装置２に登録する登録モードにおいて電気錠装置２と携帯電話端末３との間で行われる無線通信の第１通信可能距離が、操作を行うために電気錠装置２と携帯電話端末３との間で行われる無線通信の第２通信可能距離に比べて短い。【選択図】図１
2018071227.tif 000002
【特許請求の範囲】
【請求項１】
電気錠を制御する電気錠装置と、前記電気錠の解錠及び施錠の少なくとも一方の操作を行うための携帯情報端末とを備え、
前記携帯情報端末は、
前記操作を行うために鍵情報を前記電気錠装置へ無線送信する第１通信部を備え、
前記電気錠装置は、
前記携帯情報端末との間で無線通信を行う第２通信部と、
前記操作を許可する１以上の前記携帯情報端末の鍵情報を認証情報として記憶する記憶部と、
前記第２通信部が前記携帯情報端末から受信した前記鍵情報を前記記憶部に記憶された前記認証情報と照合することによって前記携帯情報端末の認証を行う認証部と、
前記認証部による前記携帯情報端末の認証が成立すると前記電気錠の施錠及び解錠のうち前記操作に対応する制御を行う錠側制御部とを備え、
前記操作を許可する前記携帯情報端末の前記鍵情報を前記電気錠装置に登録する登録モードにおいて前記電気錠装置と前記携帯情報端末との間で行われる無線通信の第１通信可能距離が、前記操作を行うために前記電気錠装置と前記携帯情報端末との間で行われる無線通信の第２通信可能距離に比べて短い
ことを特徴とする電気錠システム。
【請求項２】
前記携帯情報端末は、前記登録モードで動作中であることを表示する表示部を、更に備える
ことを特徴とする請求項１に記載の電気錠システム。
【請求項３】
前記電気錠装置は、前記登録モードにおいて登録する前記携帯情報端末の台数情報を前記第２通信部から前記携帯情報端末に送信し、
前記携帯情報端末の前記表示部は、前記第１通信部が受信した前記台数情報に基づいて、前記登録モードにおいて前記電気錠装置に登録される前記携帯情報端末の台数を表示する
ことを特徴とする請求項２に記載の電気錠システム。
【請求項４】
前記登録モードに移行した状態で、前記電気錠装置との距離が前記第１通信可能距離以下である前記携帯情報端末の台数が登録予定台数と異なるときは、前記電気錠装置と前記携帯情報端末の間で行われる無線通信の通信可能距離が前記第１通信可能距離よりも短い第３通信可能距離に設定される
ことを特徴とする請求項１〜３のいずれか１項に記載の電気錠システム。
【請求項５】
前記電気錠装置は、前記登録モードにおいて１台の前記携帯情報端末の前記鍵情報を前記記憶部に登録すると前記登録モードを終了するように構成された
ことを特徴とする請求項１又は２に記載の電気錠システム。
【請求項６】
前記携帯情報端末は、現在の動作状態を表示する表示部を、更に備え、
前記電気錠装置は、前記登録モードを終了すると前記第２通信部から前記携帯情報端末に通知信号を送信し、
前記携帯情報端末の前記表示部は、前記第１通信部が受信した前記通知信号に基づいて、前記登録モードが終了したことを表示する
ことを特徴とする請求項１〜５のいずれか１項に記載の電気錠システム。
【請求項７】
請求項１〜６のいずれか１項に記載の電気錠システムが備える電気錠装置。
【請求項８】
コンピュータを、
請求項１〜６のいずれか１項に記載の電気錠システムにおける前記携帯情報端末として機能させるための電気錠用プログラム。
【発明の詳細な説明】
【技術分野】
【０００１】
本発明は、一般に、電気錠システム、電気錠装置、及び電気錠用プログラムに関し、特に、建物の扉を電動で施錠する電気錠システム、電気錠装置、及び電気錠用プログラムに関する。
【背景技術】
【０００２】
従来、部屋のドアに組み込まれた電気錠の解錠制御に使用される非接触式カード錠が提案されている（例えば特許文献１参照）。非接触ＩＣカードには、部屋に関する情報（物件コード、部屋番号、有効期限、チェックイン・チェックアウトの日付時間、滞在時間など）が記憶されている。
【０００３】
電気錠は、非接触ＩＣカードとデータ通信を行い、非接触ＩＣカードから読み取ったカード情報を登録情報と比較照合して、カード情報の内容が入室を許可して良い内容と判断したときには、電気錠を解錠制御する。
【先行技術文献】
【特許文献】
【０００４】
【特許文献１】特開２００５−２３７３４号公報
【発明の概要】
【発明が解決しようとする課題】
【０００５】
非接触ＩＣカード（携帯情報端末）を電気錠の解錠制御に使用する場合、非接触ＩＣカードにあらかじめカード情報を登録する必要がある。ここで、非接触式カード錠（電気錠装置）が所望の非接触ＩＣカードにカード情報を非接触通信によって登録する場合に、意図しない別の非接触ＩＣカードにカード情報が誤って送信されて、別の非接触ＩＣカードにカード情報が誤登録される可能性があった。
【０００６】
本発明の目的は、意図しない携帯情報端末の誤登録が発生しにくい電気錠システム、電気錠装置、及び電気錠用プログラムを提供することにある。
【課題を解決するための手段】
【０００７】
本発明の一態様の電気錠システムは、電気錠を制御する電気錠装置と、前記電気錠の解錠及び施錠の少なくとも一方の操作を行うための携帯情報端末とを備える。前記携帯情報端末は、前記操作を行うために鍵情報を前記電気錠装置へ無線送信する第１通信部を備える。前記電気錠装置は、第２通信部と、記憶部と、認証部と、錠側制御部とを備える、前記第２通信部は、前記携帯情報端末との間で無線通信を行う。前記記憶部は、前記操作を許可する１以上の前記携帯情報端末の鍵情報を認証情報として記憶する。前記認証部は、前記第２通信部が前記携帯情報端末から受信した前記鍵情報を前記記憶部に記憶された前記認証情報と照合することによって前記携帯情報端末の認証を行う。前記錠側制御部は、前記認証部による前記携帯情報端末の認証が成立すると前記電気錠の施錠及び解錠のうち前記操作に対応する制御を行う。この電気錠システムでは、登録モードにおいて前記電気錠装置と前記携帯情報端末との間で行われる無線通信の第１通信可能距離が、前記操作を行うために前記電気錠装置と前記携帯情報端末との間で行われる無線通信の第２通信可能距離に比べて短い。ここで、登録モードとは、前記操作を許可する前記携帯情報端末の前記鍵情報を前記電気錠装置に登録するモードである。
【０００８】
本発明の一態様の電気錠装置は、上記の電気錠システムが備える電気錠装置である。
【０００９】
本発明の一態様の電気錠用プログラムは、コンピュータを、前記電気錠システムにおける前記携帯情報端末として機能させるためのプログラムである。
【発明の効果】
【００１０】
本発明によれば、意図しない携帯情報端末の誤登録が発生しにくい電気錠システム、電気錠装置、及び電気錠用プログラムを提供することができる。
【図面の簡単な説明】
【００１１】
【図１】図１は、本発明の一実施形態に係る電気錠システムのブロック図である。
【図２】図２は、同上の電気錠システムの登録動作を説明するシーケンス図である。
【図３】図３は、同上の電気錠システムにおいて電気錠装置と携帯情報端末との通信可能距離を説明する説明図である。
【図４】図４は、同上の電気錠システムの変形例１の登録動作を説明するシーケンス図である。
【発明を実施するための形態】
【００１２】
以下に説明する実施形態は、本発明の種々の実施形態の一つに過ぎない。本発明の実施形態は、下記実施形態に限定されることはなく、この実施形態以外も含み得る。また、下記の実施形態は、本発明に係る技術的思想を逸脱しない範囲であれば、設計等に応じて種々の変更が可能である。
【００１３】
（１）構成
本実施形態に係る電気錠システム１は、建物（例えば戸建て住宅）に設けられた玄関扉を電動で解錠及び施錠するためのシステムである。
【００１４】
本実施形態の電気錠システム１は、図１に示すように、玄関扉に設けられた電気錠装置２と、玄関扉の解錠及び施錠を許可された使用者（例えば建物の住人など）が使用する複数台（例えば３台）の携帯電話端末３（３Ａ，３Ｂ，３Ｃ）と、を備えている。
【００１５】
図１の例では、玄関扉の解錠及び施錠を許可された携帯電話端末３の台数が３台であるが、携帯電話端末３の台数は１台でも、２台以上でもよく、電気錠システム１が適用される建物ごとに携帯電話端末３の台数は変化する。以下の説明において、複数台の携帯電話端末３のそれぞれについて説明する場合は、携帯電話端末３Ａ，３Ｂ，３Ｃと記載し、携帯電話端末３Ａ，３Ｂ，３Ｃに共通する説明を行う場合は携帯電話端末３と記載する。
【００１６】
また、電気錠システム１が適用される建物に出入り口が２箇所以上ある場合に、２箇所以上の出入り口の扉のそれぞれに電気錠装置２が設けられてもよく、電気錠装置２の台数は適宜変更が可能である。
【００１７】
電気錠装置２は、錠側制御回路２１と、電気錠２２と、錠側通信部２３と、記憶部２４と、操作部２５と、モード切替スイッチ２６と、リセットスイッチ２７とを備えている。本実施形態では、玄関扉に取り付けられるケースに、電気錠装置２の全ての構成要素が収納されているが、玄関扉に取り付けられる第１ケースと、建物の屋内側に設置される第２ケースとに、電気錠装置２の構成要素が分散して収納されていてもよい。
【００１８】
錠側制御回路２１は、例えばプロセッサとメモリとを有するマイクロコンピュータを備えている。プロセッサがメモリに格納されているプログラムを実行することによって、認証部２１１及び錠側制御部２１２などの機能が実現される。プロセッサが実行するプログラムは、マイクロコンピュータのメモリにあらかじめ記憶されているが、メモリカード等の記録媒体に記録されて提供されてもよいし、電気通信回線を通じて提供されてもよい。
【００１９】
認証部２１１は、携帯電話端末３から受信した鍵情報を記憶部２４に記憶されている認証情報と照合することによって、鍵情報を送信してきた携帯電話端末３が、電気錠２２の施錠及び解錠を許可された携帯電話端末３であるか否かを判断する。本実施形態では、携帯電話端末３において電気錠２２を解錠する操作が行われると、携帯電話端末３が当該携帯電話端末３に割り当てられた識別情報と鍵情報とを電気錠装置２へ送信する。認証部２１１は、携帯電話端末３から受信した当該携帯電話端末３の識別情報及び鍵情報を、記憶部２４に記憶されている認証情報と照合することによって、鍵情報を送信してきた携帯電話端末３の認証を行う。
【００２０】
錠側制御部２１２は、認証部２１１による携帯電話端末３の認証が成立すると、電気錠２２の解錠及び施錠のうち携帯電話端末３での操作に対応した制御命令を電気錠２２に出力する。
【００２１】
電気錠２２は建物の玄関扉に設けられている。電気錠２２は、デッドボルトと、駆動部と、駆動回路とを備えている。駆動回路は、錠側制御部２１２から出力される制御指令（解錠指令又は施錠指令）に応じて駆動信号を生成し、生成した駆動信号を駆動部に出力する。駆動部は、電動モータと、電動モータの駆動力をデッドボルトに伝達する伝達機構とを備える。駆動部は、駆動回路から入力される駆動信号に従って駆動モータを駆動する。駆動モータの駆動力が伝達機構を介してデッドボルトに伝達されることによって、デッドボルトが施錠位置又は解錠位置に移動する。ここで、デッドボルトが施錠位置に移動した状態では、デッドボルトの少なくとも一部が、玄関扉を支持する扉枠に設けられたボルト穴に挿入されており、この状態では玄関扉が閉じた状態で保持される。デッドボルトが解錠位置に移動した状態では、デッドボルトの全体がボルト穴の外に出ており、この状態では玄関扉の開閉が可能になる。
【００２２】
錠側通信部２３は、例えばアンテナと、通信回路とを備えている。錠側通信部２３は、例えばＢＬＥ（Bluetooth Low Energy）の規格に準拠した近距離無線通信を行うように構成されている。ＢＬＥとは、無線ＰＡＮ（Personal Area Network）技術であるＢｌｕｅｔｏｏｔｈ（登録商標）の仕様における、バージョン４．０の呼称である。錠側通信部２３は、錠側制御回路２１からの指令に従って、ビーコン信号を間欠的に送信する。また、錠側通信部２３は、ビーコン信号に応答して鍵側通信部３２から送信される応答信号を受信する。ここで、ビーコン信号及び応答信号は、電波を媒体とする無線信号である。
【００２３】
記憶部２４は、例えば、ＥＥＰＲＯＭ（Electrically Erasable and Programmable Read-Only Memory）のような電気的に書き換え可能な不揮発性メモリである。記憶部２４は、電気錠２２の解錠操作及び施錠操作が許可された１台以上の携帯電話端末３について識別情報と鍵情報とを認証情報として記憶する。
【００２４】
操作部２５は例えば押釦スイッチを備える。操作部２５は、錠側制御回路２１に電気的に接続されており、玄関扉の屋外側に設けられている。使用者が押しボタンスイッチを押すことにより、錠側制御回路２１に操作信号が入力される。
【００２５】
モード切替スイッチ２６は例えば押釦スイッチである。モード切替スイッチ２６は、例えば電気錠装置２の本体において建物の屋内側に露出している部位に設けられている。モード切替スイッチ２６が、例えば所定時間（例えば２秒間）以上連続して押されると、モード切替スイッチ２６から錠側制御回路２１に切替信号が出力されて、錠側制御回路２１の動作モードが制御モードから登録モードに切り替わる。ここで、制御モードとは、電気錠２２の解錠及び施錠を制御する動作モードである。登録モードとは、所望の携帯電話端末３を電気錠２２の解錠及び施錠に使用できるようにするために、当該携帯電話端末３の識別情報及び鍵情報を電気錠装置２に登録するための動作モードである。
【００２６】
リセットスイッチ２７は例えば押釦スイッチである。リセットスイッチ２７は、例えば電気錠装置２の本体において建物の屋内側に露出している部位に設けられている。リセットスイッチ２７が、例えば所定時間（例えば２秒間）以上連続して押されると、リセットスイッチ２７から錠側制御回路２１にリセット信号が出力され、錠側制御回路２１が記憶部２４に記憶されている認証情報を消去（初期化）する。
【００２７】
携帯電話端末３は例えばスマートホンである。携帯電話端末３は、鍵側制御回路３１と、鍵側通信部３２と、表示部３３と、記憶部３４と、操作部３５と、を備えている。ただし、携帯電話端末３はスマートホンに限らず、電気錠用プログラム（アプリ）を実行可能な携帯情報端末であればよい。
【００２８】
鍵側制御回路３１は、例えばプロセッサとメモリとを有するマイクロコンピュータを備えている。プロセッサがメモリに格納されているプログラムを実行することによって、鍵側制御回路３１の機能が実現される。プロセッサが実行するプログラムは、マイクロコンピュータのメモリにあらかじめ記憶されているが、メモリカード等の記録媒体に記録されて提供されてもよいし、電気通信回線を通じて提供されてもよい。
【００２９】
鍵側通信部３２は、例えばアンテナと、通信回路とを備えている。鍵側通信部３２は、錠側通信部２３との間で、例えばＢＬＥの規格に準拠した近距離無線通信を行うように構成されている。鍵側通信部３２は、鍵側制御回路３１からの指令に従って、応答信号を送信する。また、鍵側通信部３２は、錠側通信部２３から間欠的に送信されるビーコン信号を受信する。鍵側通信部３２は、ビーコン信号を受信すると、ビーコン信号を受信したことを通知するＡＣＫ（ACKnowledgement）を電気錠装置２に送信する。携帯電話端末３からのＡＣＫを電気錠装置２が受信することにより、携帯電話端末３の認証を行うための認証通信が電気錠装置２と携帯電話端末３との間で開始される。
【００３０】
表示部３３は、液晶ディスプレイ、有機ＥＬ（Electro Luminescence）ディスプレイなどの薄型ディスプレイ装置である。表示部３３は、鍵側制御回路３１によって表示内容が制御される。
【００３１】
記憶部３４は、例えば、ＥＥＰＲＯＭのような電気的に書き換え可能な不揮発性メモリである。記憶部３４は、携帯電話端末３に割り当てられた個別の識別情報と、電気錠装置２に登録した際に電気錠装置２から付与される鍵情報とを記憶する。また、記憶部３４には、携帯電話端末３のコンピュータが実行する電気錠用プログラムが記憶されている。この電気錠用プログラムは予めメモリに記憶されていてもよいし、電気通信回線を介して、あるいは記録媒体に記憶された状態で提供されてもよい。
【００３２】
操作部３５は、例えば表示部３３を構成するディスプレイ装置に設けられたタッチパネルからなる。タッチパネルは静電容量方式、感圧式などのタッチセンサを備える。使用者が表示部３３を構成するディスプレイ装置に触れる操作（タップ操作、スワイプ操作など）を行うと、操作部３５は操作に応じた信号を鍵側制御回路３１に出力する。
【００３３】
（２）動作
以下に、本実施形態の電気錠システム１の動作について説明する。
【００３４】
（２．１）登録モードの動作
登録モードでの電気錠装置２の動作について図２を参照して説明する。
【００３５】
電気錠システム１の使用者（例えば、住宅の住人など）が、携帯電話端末３Ａを電気錠装置２に登録する場合、電気錠装置２の動作モードを制御モードから登録モードに切り替える。すなわち、使用者は、携帯電話端末３Ａを電気錠装置２と通信可能な距離に置いた状態で、動作モードを制御モードから登録モードに切り替えるために、電気錠装置２のモード切替スイッチ２６を操作する（ステップＳ１）。本実施形態では、モード切替スイッチ２６が所定時間以上連続して押されると、錠側制御回路２１が動作モードを制御モードから登録モードに切り替える（ステップＳ２）。
【００３６】
錠側制御回路２１は、動作モードが制御モードから登録モードに切り替えられると、錠側通信部２３の送信出力を、制御モードでの送信出力の設定値よりも低い値に制限する（ステップＳ３）。本実施形態では、登録モードでの錠側通信部２３の送信出力の設定値（第１設定値）を、制御モードでの錠側通信部２３の送信出力の設定値（第２設定値）よりも２０ｄＢ低い値に制限している。これにより、電気錠装置２と携帯電話端末３との通信可能距離は、制御モードにおける第２通信可能距離（例えば数ｍ程度）から、登録モードにおける第１通信可能距離（例えば数十ｃｍ〜１ｍ程度）に制限される。よって、使用者は、電気錠装置２との距離が第１通信可能距離以下である携帯電話端末３しか電気錠装置２に登録できない。つまり、電気錠装置２との距離が第１通信可能距離よりも長い距離にある携帯情報端末は電気錠装置２は登録されにくい。
【００３７】
錠側制御回路２１は、登録モードで動作を開始すると、携帯電話端末３の動作モードを登録モードとするよう要求する要求信号を錠側通信部２３からブロードキャストで送信する（ステップＳ４）。
【００３８】
携帯電話端末３の鍵側制御回路３１は、携帯電話端末３を電気錠装置２の鍵として動作させるための電気錠用プログラム（アプリ）をバックグラウンドで実行している。
【００３９】
携帯電話端末３の鍵側通信部３２は、当該携帯電話端末３と電気錠装置２との距離が第１通信可能距離以下であれば、電気錠装置２の錠側通信部２３が送信した要求信号を受信することができる。使用者は、電気錠装置２と通信可能な範囲に１台の携帯電話端末３Ａのみを配置しており、携帯電話端末３Ａの鍵側通信部３２が、電気錠装置２の錠側通信部２３によって送信された要求信号を受信する。携帯電話端末３Ａの鍵側通信部３２が要求信号を受信すると、鍵側制御回路３１は、動作モードを登録モードに設定するために操作するモード切替ボタン（アイコン）を表示部３３に表示する（ステップＳ５）。ここで、登録モードとは、携帯電話端末３の識別情報を電気錠装置２に登録し、電気錠装置２から付与された鍵情報を携帯電話端末３に登録するための動作モードである。
【００４０】
使用者が携帯電話端末３の表示部３３に表示されたモード切替ボタンを操作しなければ、鍵側制御回路３１は、所定の待機時間が経過した後にモード切替ボタンの表示を終了し、動作モードを登録モードに移行しない。電気錠装置２の錠側通信部２３が、要求信号の送信時点から一定時間が経過するまでの間に、携帯電話端末３から応答信号を受信しなければ、錠側制御回路２１は動作モードを登録モードから制御モードに切り替えて、携帯電話端末３の登録処理を終了する。
【００４１】
一方、使用者が携帯電話端末３の表示部３３に表示されたモード切替ボタンのタップ操作を行うと（ステップＳ６）、鍵側制御回路３１は、操作部３５からの入力信号に基づいて動作モードを登録モードに設定する（ステップＳ７）。鍵側制御回路３１は登録モードで動作を開始すると、鍵側通信部３２の送信出力を通常モード（登録モード以外の動作モード）における第２設定値から、登録モードにおける第１設定値に低下させる。これにより、携帯電話端末３Ａにおいても、携帯電話端末３と電気錠装置２との通信可能距離が、通常モードにおける第２通信可能距離から、登録モードにおける第１通信可能距離に制限される（ステップＳ８）。
【００４２】
鍵側制御回路３１は、鍵側通信部３２の送信出力を低下させた後、要求信号に対する応答信号と、記憶部３４から読み出した識別情報とを、鍵側通信部３２から電気錠装置２に送信する（ステップＳ９）。
【００４３】
電気錠装置２の錠側制御回路２１は、要求信号の送信時から一定時間（例えば数十秒から数分程度の時間）内に錠側通信部２３が応答信号を受信すると、応答信号を送信してきた携帯電話端末３を登録する処理を行う。すなわち、電気錠装置２の錠側制御回路２１は、応答信号を送信してきた携帯電話端末３Ａに付与する鍵情報を作成し、この鍵情報と電気錠装置２の識別情報とを錠側通信部２３から携帯電話端末３Ａにユニキャストで送信する（ステップＳ１０）。電気錠装置２の錠側制御回路２１は、携帯電話端末３Ａの識別情報と鍵情報とを対応付けて記憶部２４に記憶することで、解錠操作及び施錠操作を許可する端末として携帯電話端末３Ａを登録する（ステップＳ１１）。
【００４４】
一方、携帯電話端末３Ａの鍵側通信部３２が電気錠装置２から当該電気錠装置２の識別情報と鍵情報とを受信すると、携帯電話端末３Ａの鍵側制御回路３１は、電気錠装置２の識別情報と鍵情報とを対応付けて記憶部３４に記憶する（ステップＳ１２）。また、鍵側制御回路３１は、登録モードでの動作状態を示す表示内容を表示部３３に表示する（ステップＳ１３）。ここで、登録モードでの動作状態を示す表示内容とは、例えば、登録モードを実行中であることの表示、及び電気錠装置２の識別情報などである。携帯電話端末３Ａの使用者は、表示部３３の表示内容に基づいて、携帯電話端末３Ａを電気錠装置２に登録中であることなどの情報を、確認することができる。また、電気錠装置２の錠側制御回路２１が、登録する携帯電話端末３の台数の情報を錠側通信部２３から携帯電話端末３Ａに送信してもよく、表示部３３が電気錠装置２に登録される携帯電話端末３の台数を表示してもよい。
【００４５】
携帯電話端末３Ａの鍵側制御回路３１は、電気錠装置２の識別情報と鍵情報とを記憶部３４に記憶すると、登録処理を行ったことを示す実施情報を鍵側通信部３２から電気錠装置２に送信する（ステップＳ１４）。
【００４６】
電気錠装置２の錠側通信部２３が、携帯電話端末３Ａから送信された実施情報を受信すると、登録処理が完了したと判断し（ステップＳ１５）、登録処理の完了を通知する通知信号を錠側通信部２３から携帯電話端末３Ａに送信する（ステップＳ１６）。
【００４７】
ここで、携帯電話端末３Ａの鍵側通信部３２が電気錠装置２から通知信号を受信すると、鍵側制御回路３１は、電気錠装置２に登録されたことを示す登録完了表示を表示部３３に表示させる（ステップＳ１７）。携帯電話端末３Ａの鍵側制御回路３１は、動作モードを登録モードから通常モードに切り替え、通信可能距離を登録モードにおける第１通信可能距離から通常モードにおける第２通信可能距離に切り替えるように、鍵側通信部３２の送信出力を増加する。
【００４８】
また、電気錠装置２の錠側制御回路２１は、登録処理が完了したと判断すると、動作モードを登録モードから制御モードに切り替える。電気錠装置２の錠側制御回路２１は、通信可能距離を登録モードにおける第１通信可能距離から制御モードにおける第２通信可能距離に切り替えるように、錠側通信部２３の送信出力を増加させる。ここで、電気錠装置２の錠側制御回路２１は、登録処理が完了したと判断すると、動作モードを登録モードから制御モードに自動的に切り替えてもよいし、登録モードにおいてモード切替スイッチ２６が操作されると、登録モードから制御モードに切り替えてもよい。
【００４９】
上述のように、本実施形態では、登録モードでの第１通信可能距離Ｌ１が、制御モード（通常モード）での第２通信可能距離Ｌ２に比べて短くなる（図３参照）。すなわち、登録モードでの第１通信可能距離Ｌ１が、制御モード（通常モード）での第２通信可能距離Ｌ２よりも短いため、電気錠装置２と通信可能な携帯電話端末３を、電気錠装置２との距離が第１通信可能距離Ｌ１以下である携帯電話端末３に絞り込むことができる。よって、登録対象の携帯電話端末３Ａ以外の意図しない携帯電話端末４と、電気錠装置２との距離が第１通信可能距離Ｌ１よりも長ければ、意図しない携帯電話端末４が、電気錠装置２に誤って登録されるのを抑制できる。
【００５０】
また、本実施形態では、電気錠装置２は、登録モードにおいて１台の携帯電話端末３の鍵情報を記憶部２４に登録すると登録モードを終了するように構成されている。複数台の携帯電話端末３を電気錠装置２に登録する場合は、その都度、電気錠装置２のモード切替スイッチ２６を操作して、電気錠装置２を登録モードに切り替え、電気錠装置２に携帯電話端末３を１台ずつ登録すればよい。
【００５１】
（２．２）制御モードの動作
制御モードでの電気錠システム１の動作について説明する。以下では、携帯電話端末３を用いて電気錠２２を解錠する場合の動作について説明するが、電気錠２２を施錠する場合の動作も同様であり、その説明は省略する。
【００５２】
電気錠装置２の錠側通信部２３は、制御モードでは、錠側制御回路２１からの指令に従って、ビーコン信号を間欠的（例えば２秒間隔）に送信する。携帯電話端末３と電気錠装置２との距離が第２通信可能距離Ｌ２以下となる検知エリアに携帯電話端末３が入ると、携帯電話端末３の鍵側通信部３２がビーコン信号を受信し、受信したビーコン信号を鍵側制御回路３１に出力する。鍵側制御回路３１は、鍵側通信部３２からビーコン信号を受け取ると、ビーコン信号を受け取ったことを通知するＡＣＫを鍵側通信部３２から電気錠装置２に送信する。
【００５３】
錠側通信部２３は、鍵側通信部３２からのＡＣＫを受信すると、受信したＡＣＫを錠側制御回路２１に出力する。そして、錠側制御回路２１がＡＣＫを受け取ることで、携帯電話端末３の認証を行うための認証通信が開始される。認証通信が開始されると、錠側制御回路２１は、携帯電話端末３の識別情報と鍵情報とを要求する要求信号を錠側通信部２３から携帯電話端末３に送信する。鍵側制御回路３１は、鍵側通信部３２が要求信号を受信すると、電気錠装置２の識別情報に対応した鍵情報と携帯電話端末３の識別情報とを記憶部３４から読み出し、識別情報及び鍵情報を含む応答信号を鍵側通信部３２から電気錠装置２に送信する。
【００５４】
錠側制御回路２１は、錠側通信部２３が応答信号を受信すると、応答信号に含まれている識別情報及び鍵情報を、記憶部２４に記憶されている認証情報と照合することによって、携帯電話端末３の認証を行う。錠側制御回路２１は、携帯電話端末３の認証に成功すると、操作部２５の操作入力（操作信号）を有効にする。言い換えると、携帯電話端末３の認証に成功するまでは、操作部２５の操作入力は無効になっている。したがって、錠側制御回路２１は、使用者により操作部２５が操作されても、携帯電話端末３の認証に成功するまでは操作部２５からの操作信号を受け付けない。
【００５５】
操作部２５の操作入力が有効な状態で使用者が操作部２５を操作すると、錠側制御部２１２は、操作部２５からの操作信号に従って解錠信号を生成する。錠側制御部２１２で生成された解錠信号は電気錠２２の駆動回路に入力される。駆動回路は、解錠信号に従ってデッドボルトを解錠位置に移動させる駆動信号を生成し、生成した駆動信号を駆動部に出力する。そして、駆動部は、駆動回路からの駆動信号に従ってデッドボルトを解錠位置に移動させる。デッドボルトが解錠位置に移動した状態では、玄関扉を開けることができ、携帯電話端末３の使用者は玄関扉を開けて、建物の中に入ることができる。
【００５６】
ここにおいて、電気錠装置２は、玄関扉の開閉を検知する開閉センサを備えてもよい。錠側制御部２１２は、デッドボルトを解錠位置に移動させた後に、開閉センサによって玄関扉が閉まったことを検知すると、施錠信号を電気錠２２の駆動回路に出力する。電気錠２２の駆動回路は施錠信号にしたがってデッドボルトを施錠位置に移動させるので、玄関扉を自動的に施錠することができる。
【００５７】
本実施形態の電気錠システム１では、電気錠装置２から送信されるビーコン信号の検知エリアに携帯電話端末３が入って携帯電話端末３からＡＣＫを受信した時点で携帯電話端末３の認証を開始するように構成されている。そのため、使用者が操作部２５を操作する時点では携帯電話端末３の認証が終了している可能性が高く、使用者が操作部２５を操作した時点で電気錠２２を施錠又は解錠することが可能である。
【００５８】
また、本実施形態の電気錠システム１では、携帯電話端末３の認証に成功するまでは操作部２５の操作入力（操作信号）が無効になっている。したがって、電気錠装置２に登録済みの携帯電話端末３を所持していない人によって、電気錠２２が解錠されるリスクを低減することができる。
【００５９】
（３）変形例
以下に、上記実施形態の変形例に係る電気錠システムを列記する。なお、以下に説明する変形例の各構成は、上記実施形態で説明した各構成と適宜組み合わせて適用可能である。
【００６０】
（３．１）変形例１
上記の実施形態では、電気錠装置２の動作モードが制御モードから登録モードに切り替えられた状態で、１台の携帯電話端末３を電気錠装置２に登録しているが、複数台の携帯電話端末３を電気錠装置２に登録してもよい。
【００６１】
この場合の登録動作について図４を参照して説明する。図４のシーケンス図は、電気錠装置２が制御モードから登録モードに切り替えられた状態で、２台の携帯電話端末３Ａ，３Ｂが電気錠装置２に登録される場合の動作を示している。
【００６２】
電気錠システム１の使用者が、２台の携帯電話端末３Ａ，３Ｂを電気錠装置２に登録する場合、電気錠装置２の動作モードを制御モードから登録モードに切り替える。すなわち、使用者は、携帯電話端末３Ａ，３Ｂを電気錠装置２と通信可能な距離（第１通信可能距離以下の距離）に置いた状態で、動作モードを制御モードから登録モードに切り替えるために、電気錠装置２のモード切替スイッチ２６を操作する（ステップＳ２１）。本実施形態では、モード切替スイッチ２６が所定時間以上連続して押されると、錠側制御回路２１は動作モードを制御モードから登録モードに切り替える（ステップＳ２２）。
【００６３】
錠側制御回路２１は、動作モードが制御モードから登録モードに切り替えられると、錠側通信部２３の送信出力を、制御モードでの送信出力の設定値よりも低い値に制限する（ステップＳ２３）。本実施形態では、登録モードでの錠側通信部２３の送信出力の設定値（第１設定値）を、制御モードでの錠側通信部２３の送信出力の設定値（第２設定値）よりも２０ｄＢ低い値に制限している。これにより、電気錠装置２と携帯電話端末３との通信可能距離は、制御モードにおける第２通信可能距離（例えば１０ｍ程度）から、登録モードにおける第１通信可能距離（例えば１ｍ程度）に制限される。
【００６４】
錠側制御回路２１は、登録モードで動作を開始すると、携帯電話端末３の動作モードを登録モードとするよう要求する要求信号を錠側通信部２３からブロードキャストで送信する（ステップＳ２４）。
【００６５】
携帯電話端末３Ａ，３Ｂの鍵側制御回路３１は、携帯電話端末３Ａ，３Ｂを電気錠装置２の鍵として動作させるための電気錠用プログラム（アプリ）をバックグラウンドで実行している。
【００６６】
携帯電話端末３（３Ａ，３Ｂ）の鍵側通信部３２は、当該携帯電話端末３と電気錠装置２との距離が第１通信可能距離以下であれば、電気錠装置２の錠側通信部２３が送信した要求信号を受信することができる。使用者は、電気錠装置２と通信可能な範囲に２台の携帯電話端末３Ａ，３Ｂを配置しており、携帯電話端末３Ａ，３Ｂが、電気錠装置２の錠側通信部２３によって送信された要求信号を受信する。
【００６７】
携帯電話端末３Ａ，３Ｂの鍵側通信部３２が要求信号を受信すると、鍵側制御回路３１は、動作モードを登録モードに設定するために操作するモード切替ボタン（アイコン）を表示部３３に表示する（ステップＳ２５，Ｓ２６）。
【００６８】
使用者が携帯電話端末３Ａ，３Ｂの表示部３３に表示されたモード切替ボタンを操作しなければ、鍵側制御回路３１は、所定の待機時間が経過した後にモード切替ボタンの表示を終了し、動作モードを登録モードに移行しない。電気錠装置２の錠側通信部２３が、要求信号の送信時点から一定時間が経過するまでの間に、携帯電話端末３Ａ，３Ｂから応答信号を受信しなければ、錠側制御回路２１は動作モードを登録モードから制御モードに切り替えて、携帯電話端末３の登録処理を終了する。
【００６９】
図４の例では使用者はまず携帯電話端末３Ａを電気錠装置２に登録する。
【００７０】
使用者が携帯電話端末３Ａの表示部３３に表示されたモード切替ボタンのタップ操作を行うと（ステップＳ２７）、鍵側制御回路３１は、操作部３５からの入力信号に基づいて動作モードを登録モードに設定する（ステップＳ２８）。携帯電話端末３Ａの鍵側制御回路３１は登録モードで動作を開始すると、鍵側通信部３２の送信出力を通常モードにおける第２設定値から、登録モードにおける第１設定値に低下させる。これにより、携帯電話端末３Ａにおいても、携帯電話端末３Ａと電気錠装置２との通信可能距離が、通常モードにおける第２通信可能距離から、登録モードにおける第１通信可能距離に制限される（ステップＳ２９）。
【００７１】
携帯電話端末３Ａの鍵側制御回路３１は、鍵側通信部３２の送信出力を低下させた状態で、要求信号に対する応答信号と、記憶部３４から読み出した識別情報とを、鍵側通信部３２から電気錠装置２に送信する（ステップＳ３０）。
【００７２】
電気錠装置２の錠側制御回路２１は、要求信号の送信時から一定時間内に錠側通信部２３が応答信号を受信すると、応答信号を送信してきた携帯電話端末３Ａを登録する処理を行う。すなわち、電気錠装置２の錠側制御回路２１は、応答信号を送信してきた携帯電話端末３Ａに付与する鍵情報を作成し、この鍵情報と電気錠装置２の識別情報とを錠側通信部２３から携帯電話端末３Ａにユニキャストで送信する（ステップＳ３１）。電気錠装置２の錠側制御回路２１は、携帯電話端末３Ａの識別情報と鍵情報とを対応付けて記憶部２４に記憶することで、解錠操作及び施錠操作を許可する端末として携帯電話端末３Ａを登録する（ステップＳ３２）。
【００７３】
一方、携帯電話端末３Ａの鍵側通信部３２が電気錠装置２から当該電気錠装置２の識別情報と鍵情報とを受信すると、携帯電話端末３Ａの鍵側制御回路３１は、電気錠装置２の識別情報と鍵情報とを対応付けて記憶部３４に記憶する（ステップＳ３３）。また、携帯電話端末３Ａの鍵側制御回路３１は、登録モードでの動作状態を示す表示内容を表示部３３に表示する（ステップＳ３４）。ここで、登録モードでの動作状態を示す表示内容とは、例えば、登録モードを実行中であることの表示、電気錠装置２の識別情報などである。携帯電話端末３Ａの使用者は、表示部３３の表示内容に基づいて、携帯電話端末３Ａを電気錠装置２に登録中であることなどの情報を、確認することができる。また、電気錠装置２の錠側制御回路２１が、登録する携帯電話端末３の台数の情報（台数情報）を錠側通信部２３から携帯電話端末３Ａに送信しており、表示部３３が電気錠装置２に登録される携帯電話端末３の台数を表示している。
【００７４】
携帯電話端末３Ａの鍵側制御回路３１は、電気錠装置２の識別情報と鍵情報とを記憶部３４に記憶すると、登録処理を行ったことを示す実施情報を鍵側通信部３２から電気錠装置２に送信する（ステップＳ３５）。電気錠装置２の錠側通信部２３が携帯電話端末３Ａから実施情報を受信すると、錠側制御回路２１は携帯電話端末３Ａでの登録処理が完了したと判断する。
【００７５】
使用者は携帯電話端末３Ａを電気錠装置２に登録すると、携帯電話端末３Ｂを電気錠装置２に登録する。使用者が携帯電話端末３Ｂの表示部３３に表示されたモード切替ボタンのタップ操作を行うと（ステップＳ３６）、鍵側制御回路３１は、操作部３５からの入力信号に基づいて動作モードを登録モードに設定する（ステップＳ３７）。携帯電話端末３Ｂの鍵側制御回路３１は登録モードで動作を開始すると、通信可能距離を通常モードでの第２通信可能距離から登録モードでの第１通信可能距離に短くするように、送信出力を低下する（ステップＳ３８）。
【００７６】
携帯電話端末３Ｂの鍵側制御回路３１は、鍵側通信部３２の送信出力を低下させた状態で、要求信号に対する応答信号と、記憶部３４から読み出した識別情報とを、鍵側通信部３２から電気錠装置２に送信する（ステップＳ３９）。
【００７７】
電気錠装置２の錠側制御回路２１は、要求信号の送信時から一定時間内に錠側通信部２３が応答信号を受信すると、応答信号を送信してきた携帯電話端末３Ｂを登録する処理を行う。すなわち、電気錠装置２の錠側制御回路２１は、応答信号を送信してきた携帯電話端末３Ｂに付与する鍵情報を作成し、この鍵情報と電気錠装置２の識別情報とを錠側通信部２３から携帯電話端末３Ｂにユニキャストで送信する（ステップＳ４０）。電気錠装置２の錠側制御回路２１は、携帯電話端末３Ｂの識別情報と鍵情報とを対応付けて記憶部２４に記憶することで、解錠操作及び施錠操作を許可する端末として携帯電話端末３Ｂを登録する（ステップＳ４１）。
【００７８】
一方、携帯電話端末３Ｂの鍵側通信部３２が電気錠装置２から当該電気錠装置２の識別情報と鍵情報とを受信すると、携帯電話端末３Ｂの鍵側制御回路３１は、電気錠装置２の識別情報と鍵情報とを対応付けて記憶部３４に記憶する（ステップＳ４２）。また、携帯電話端末３Ｂの鍵側制御回路３１は、登録モードでの動作状態を示す表示内容を表示部３３に表示する（ステップＳ４３）。ここで、登録モードでの動作状態を示す表示内容とは、例えば、登録モードを実行中であることの表示、電気錠装置２に登録される携帯電話端末３の台数、電気錠装置２の識別情報などである。携帯電話端末３Ｂの使用者は、表示部３３の表示内容に基づいて、携帯電話端末３Ｂを電気錠装置２に登録中であることなどの情報を、確認することができる。また、表示部３３には電気錠装置２に登録された携帯電話端末３の台数（ここでは２台）が表示されており、携帯電話端末３Ｂの使用者は表示部３３に表示された台数をもとに、意図しない携帯情報端末が登録されていないかを確認することができる。
【００７９】
携帯電話端末３Ｂの鍵側制御回路３１は、電気錠装置２の識別情報と鍵情報とを記憶部３４に記憶すると、登録処理を行ったことを示す実施情報を鍵側通信部３２から電気錠装置２に送信する（ステップＳ４４）。
【００８０】
電気錠装置２の錠側通信部２３が携帯電話端末３Ｂから実施情報を受信すると、錠側制御回路２１は携帯電話端末３Ｂでの登録処理が完了したと判断する。
【００８１】
その後、電気錠装置２の錠側通信部２３が携帯電話端末３からの要求信号を一定時間以上受信できなければ、錠側制御回路２１は携帯電話端末３の登録処理が完了したと判断する（ステップＳ４５）。電気錠装置２の錠側制御回路２１は、登録処理の完了を通知する通知信号を錠側通信部２３から携帯電話端末３Ａ，３Ｂに送信する（ステップＳ４６）。
【００８２】
ここで、携帯電話端末３Ａの鍵側通信部３２が電気錠装置２から通知信号を受信すると、鍵側制御回路３１は、電気錠装置２に登録されたことを示す登録完了表示を表示部３３に表示させる（ステップＳ４７）。携帯電話端末３Ａの鍵側制御回路３１は、動作モードを登録モードから通常の制御モードに切り替え、通信可能距離を登録モードにおける第１通信可能距離から制御モードにおける第２通信可能距離に切り替えるように、鍵側通信部３２の送信出力を増加する。
【００８３】
同様に、携帯電話端末３Ｂの鍵側通信部３２が電気錠装置２から通知信号を受信すると、鍵側制御回路３１は、電気錠装置２に登録されたことを示す登録完了表示を表示部３３に表示させる（ステップＳ４８）。携帯電話端末３Ｂの鍵側制御回路３１は、動作モードを登録モードから通常の制御モードに切り替え、通信可能距離を登録モードにおける第１通信可能距離から制御モードにおける第２通信可能距離に切り替えるように、鍵側通信部３２の送信出力を増加する。
【００８４】
また、電気錠装置２の錠側制御回路２１は、登録処理が終了したと判断すると、動作モードを登録モードから制御モードに切り替える。電気錠装置２の錠側制御回路２１は、通信可能距離を登録モードにおける第１通信可能距離から制御モードにおける第２通信可能距離に切り替えるように、錠側通信部２３の送信出力を増加させる。ここで、電気錠装置２の錠側制御回路２１は、登録処理が終了したと判断すると、動作モードを登録モードから制御モードに自動的に切り替えてもよいし、モード切替スイッチ２６が操作されると、登録モードから制御モードに自動的に切り替えてもよい。
【００８５】
ところで、電気錠装置２はリセットスイッチ２７を備えており、リセットスイッチ２７が操作されると、錠側制御回路２１は記憶部２４に記憶された認証情報を消去する。携帯電話端末３の設定ミスが発生したり、意図しない携帯情報端末が電気錠装置２に登録されたと使用者が判断した場合、使用者はリセットスイッチ２７を用いて所定の操作を行う。例えば、使用者がリセットスイッチ２７を所定の時間以上連続して押し続けると、錠側制御回路２１は、記憶部２４に記憶された認証情報を消去しており、携帯電話端末３の登録作業をやり直すことができる。
【００８６】
（３．２）変形例２
実施形態及び変形例１の電気錠システム１において、登録モードにおいて登録される携帯電話端末３の台数である登録予定台数を電気錠装置２に設定してもよい。例えば、使用者が、電気錠装置２に登録する携帯電話端末３の操作部３５を用いて登録予定台数を入力すると、携帯電話端末３から電気錠装置２に登録予定台数の情報が送信される。
【００８７】
電気錠装置２の錠側制御回路２１の動作モードが制御モードから登録モードに切り替えられると、錠側通信部２３が要求信号を送信し、電気錠装置２との距離が第１通信可能距離Ｌ１以下である全ての携帯電話端末３から応答信号を送信させる。このとき、電気錠装置２の錠側制御回路２１は、錠側通信部２３が応答信号を受信した携帯電話端末３の台数と、登録予定台数とを比較する。電気錠装置２の錠側制御回路２１は、電気錠装置２との距離が第１通信可能距離以下である携帯電話端末３の台数が登録予定台数と異なるときは、錠側通信部２３と鍵側通信部３２との無線通信の通信可能距離を第１通信可能距離よりも短い第３通信可能距離に設定する。
【００８８】
これにより、電気錠装置２と通信可能な携帯電話端末３を制限でき、意図しない携帯電話端末３が電気錠装置２に誤登録される可能性を低減できる。
【００８９】
（３．３）その他の変形例
上記の実施形態及び変形例１では、携帯情報端末がスマートホンのような携帯電話端末３であるが、携帯情報端末に電話機能は必須ではなく、携帯情報端末は電気錠用プログラムがインストールされたタブレット端末でもよい。
【００９０】
上記の実施形態及び変形例１では、携帯電話端末３の鍵側通信部３２が電気錠装置２から要求信号を受信すると、鍵側制御回路３１が登録モードに切り替えるためのモード切替ボタンを表示部３３に表示しているが、携帯電話端末３の動作はこれに限定されない。すなわち、携帯電話端末３の使用者が、操作部３５を操作して電気錠用プログラムを起動し、所定の操作を行って、携帯電話端末３の動作モードを登録モードに切り替えてもよい。
【００９１】
上記の実施形態及び変形例１では、登録モードでの第１通信可能距離Ｌ１を、操作時の第２通信可能距離Ｌ２より短くするために、錠側通信部２３及び鍵側通信部３２の両方で送信出力を低下させているが、少なくとも錠側通信部２３で送信出力を低下させればよい。
【００９２】
また、上記の実施形態及び変形例１において、錠側通信部２３及び鍵側通信部３２の送信出力を変化させる代わりに、受信感度を変化させることで、登録モードでの第１通信可能距離Ｌ１を、操作時の第２通信可能距離Ｌ２より短くしてもよい。この場合、錠側通信部２３及び鍵側通信部３２の両方で受信感度を低下させる必要はなく、少なくとも錠側通信部２３で受信感度を低下させればよい。
【００９３】
また、錠側通信部２３及び鍵側通信部３２の送信出力と受信感度とをそれぞれ変化させることで、登録モードでの第１通信可能距離Ｌ１を、制御モードでの第２通信可能距離Ｌ２より短くしてもよい。この場合も、錠側通信部２３及び鍵側通信部３２の両方で送信出力と受信感度とをそれぞれ変化させる必要はなく、少なくとも錠側通信部２３で両方で送信出力と受信感度とを変化させればよい。
【００９４】
また、電気錠装置２の本体にモード切替スイッチ２６は取り付けられているが、モード切替スイッチ２６を覆う扉が電気錠装置２の本体に設けられてもよい。扉は本体に対して開閉可能な状態で取り付けられており、モード切替スイッチ２６を操作しないときには、モード切替スイッチ２６が扉で覆われているので、モード切替スイッチ２６が意図せずに操作される可能性が低下する。
【００９５】
本実施形態の電気錠システム１では、携帯電話端末３が、電気錠２２の解錠及び施錠の両方の操作を行うことができるが、携帯電話端末３は、電気錠２２の解錠及び施錠の一方の操作だけを行うものでもよい。
【００９６】
本実施形態の電気錠システム１は戸建て住宅に適用されているが、集合住宅の各住戸に適用されてもよいし、例えば事務所、店舗、又は工場などの非住宅用の建物に適用されてもよい。
【００９７】
本実施形態の電気錠システム１は建物に設けられた玄関扉を電動で解錠及び施錠するためのシステムであるが、建物内の部屋の壁に設けられた扉を電動で解錠及び施錠するためのシステムでもよい。ここにおいて、扉は開き戸でもよいし、引き戸でもよい。
【００９８】
（４）まとめ
以上説明したように、第１の態様の電気錠システム１は、電気錠２２を制御する電気錠装置２と、電気錠２２の解錠及び施錠の少なくとも一方の操作を行うための携帯電話端末３とを備える。携帯電話端末３は、操作を行うために鍵情報を電気錠装置２へ無線送信する第１通信部（鍵側通信部３２）を備える。電気錠装置２は、第２通信部（錠側通信部２３）と、記憶部２４と、認証部２１１と、錠側制御部２１２とを備える。第２通信部は携帯電話端末３との間で無線通信を行う。記憶部２４は、操作を許可する１以上の携帯電話端末３の鍵情報を認証情報として記憶する。認証部２１１は、第２通信部が携帯電話端末３から受信した鍵情報を記憶部２４に記憶された認証情報と照合することによって携帯電話端末３の認証を行う。錠側制御部２１２は、認証部２１１による携帯電話端末３の認証が成立すると電気錠２２の施錠及び解錠のうち操作に対応する制御を行う。登録モードにおいて電気錠装置２と携帯電話端末３との間で行われる無線通信の第１通信可能距離Ｌ１が、操作を行うために電気錠装置２と携帯電話端末３との間で行われる無線通信の第２通信可能距離Ｌ２に比べて短い。登録モードとは、操作を許可する携帯電話端末３の鍵情報を電気錠装置２に登録するモードである。
【００９９】
第１の態様によれば、登録モードでの第１通信可能距離Ｌ１を、操作を行う場合の第２通信可能距離よりも短くしているので、電気錠装置２との距離が第１通信可能距離Ｌ１よりも長い携帯情報端末の誤登録を抑制できる。したがって、意図しない携帯情報端末の誤登録を抑制できる。また、意図しない携帯情報端末の誤登録を抑制するために、登録モードにおいて電気錠装置２と携帯電話端末３との通信を暗号化する必要性が低下する。
【０１００】
第２の態様の電気錠システムでは、第１の態様において、携帯電話端末３が、登録モードで動作中であることを表示する表示部３３を、更に備えてもよい。携帯電話端末３の使用者は、表示部３３の表示内容をもとに、登録モードで動作中であることを確認できる。
【０１０１】
第３の態様の電気錠システムでは、第２の態様において、電気錠装置２は、登録モードにおいて登録する携帯電話端末３の台数情報を第２通信部から携帯電話端末３に送信してもよい。携帯電話端末３の表示部３３は、第１通信部が受信した台数情報に基づいて、登録モードにおいて電気錠装置２に登録される携帯電話端末３の台数を表示してもよい。
【０１０２】
携帯電話端末３の使用者は、表示部３３に表示された携帯電話端末３の台数をもとに、意図しない携帯情報端末が電気錠装置２に登録されていないかを確認できる。
【０１０３】
第４の態様の電気錠システムでは、第１〜第３のいずれか１つの態様において、登録モードに移行した状態で、電気錠装置２との距離が第１通信可能距離以下である携帯電話端末３の台数が登録予定台数と異なるときは、電気錠装置２と携帯電話端末３の間で行われる無線通信の通信可能距離が第１通信可能距離よりも短い第３通信可能距離に設定されてもよい。
【０１０４】
これにより、意図しない携帯電話端末３が電気錠装置２に誤登録される可能性を低減できる。
【０１０５】
第５の態様の電気錠システムでは、第１又は第２の態様において、電気錠装置２は、登録モードにおいて１台の携帯情報端末の鍵情報を記憶部２４に登録すると登録モードを終了するように構成されてもよい。電気錠装置２に１台の携帯電話端末３が登録されると、電気錠装置２が登録モードを終了するので、意図しない携帯電話端末３が電気錠装置２に誤登録される可能性を低減できる。
【０１０６】
第６の態様の電気錠システムでは、第１〜第５のいずれか１つの態様において、携帯電話端末３は、現在の動作状態を表示する表示部３３を、更に備えてもよい。電気錠装置２は、登録モードを終了すると第２通信部から携帯電話端末３に通知信号を送信してもよい。携帯電話端末３の表示部３３は、第１通信部が受信した通知信号に基づいて、登録モードが終了したことを表示すればよい。
【０１０７】
これにより、携帯電話端末３の使用者は表示部３３の表示に基づいて登録モードが終了したことを確認でき、携帯電話端末３を用いて電気錠２２の操作が可能になったことを把握できる。
【０１０８】
また、一態様の電気錠装置２は、上述の電気錠システム１に用いられる。意図しない携帯電話端末３の電気錠装置２への誤登録が低減される。
【０１０９】
また、一態様の電気錠用プログラムは、コンピュータを、電気錠システム１における前記携帯電話端末３として機能させるためのプログラムである。意図しない携帯電話端末３の電気錠装置２への誤登録が低減される。なお、この電気錠用プログラムは予めメモリに記憶されていてもよいし、電気通信回線を介して、あるいは記録媒体に記憶された状態で提供されてもよい。
【符号の説明】
【０１１０】
１  電気錠システム
２  電気錠装置
３，３Ａ〜３Ｃ，４  携帯電話端末（携帯電話端末）
２１  錠側制御回路
２１１  認証部
２１２  錠側制御部
２２  電気錠
２３  錠側通信部（第２通信部）
２４  記憶部
３１  鍵側制御回路
３２  鍵側通信部（第１通信部）
３３  表示部
Ｌ１  第１通信可能距離
Ｌ２  第２通信可能距離
【図１】
2018071227.tif 000003
【図２】
2018071227.tif 000004
【図３】
2018071227.tif 000005
【図４】
2018071227.tif 000006